(57)【要約】トイレ用飛散防止装置であって、尿流を分散させ偏向させるための離間した複数のデフレクタを備えて構成される分散領域を備えた第１区域と、トイレベースの水の水洗動作に応じて消毒薬ストリームがそれにより生成されてこの消毒薬ストリームが複数のデフレクタ全てに向けられる、第１区域に連結される第２区域と、飛散防止装置がトイレリムから便器の内側へとそれにより懸架されるハンガとを含む、飛散防止装置。【選択図】図８
2020502396.tif 000002
【特許請求の範囲】
【請求項１】
トイレ用飛散防止装置であって、尿流を分散させ偏向させるための複数の離間したデフレクタを備えて構成される分散領域を含む第１区域と、トイレベースの水の水洗動作に応じて消毒薬ストリームがそれにより生成されて、前記消毒薬ストリームが前記複数のデフレクタ全てに向けられる、前記第１区域に連結される第２区域と、前記飛散防止装置がトイレリムから便器の内側へとそれにより懸架されるハンガとを含む、飛散防止装置。
【請求項２】
前記第１区域は、前記第２区域に対して前方に位置決めされ、そして、前記水洗水がそれを通して導入可能である上部開口と、前記生成された消毒薬ストリームがそれを通して排出されて前記複数のデフレクタ全てに向けられる、前記上部開口よりも小さい少なくとも１つの下部開口とを有する上部チャンバを備えて構成される、請求項１記載の飛散防止装置。
【請求項３】
前記複数のデフレクタは、略垂直に配向されるデフレクタ保持表面から前方に突出する、縦および横方向に離間した複数のロッドにより構成される、請求項２記載の飛散防止装置。
【請求項４】
前記第２区域の上部表面は、前記第１区域の、前記上部開口を画定する後部部分全体に対して後方で、前記後部部分全体と当接関係になるように位置決めされる、請求項３記載の飛散防止装置。
【請求項５】
前記第２区域は、前記水洗水が接触すると前記消毒薬ストリームがそれにより生成される固体衛生製品をその内部で維持するための、前記第１区域の前記上部チャンバと流体連通している維持チャンバを含む、請求項４記載の飛散防止装置。
【請求項６】
前記第２区域の前記維持チャンバは、前記第２区域の、略垂直に配向される後部表面から前記上部開口の中間領域へと前方に延び、そして、前記第２区域の前記上部表面の下に位置する上部案内表面を有し、前記上部案内表面は、前記上部開口を通して導入される前記水洗水の少なくとも一部分を前記固体衛生製品に向けて案内するようになっている、請求項５記載の飛散防止装置。
【請求項７】
前記第１区域の前記上部チャンバに、前記デフレクタ保持表面の上部表面の前方に位置する略水平の制限器保持表面が設けられ、前記制限器保持表面から上方に延びる複数の流れ制限要素は、前記生成された消毒薬ストリームの流れを制限するように、および、これにより前記複数のデフレクタが、改良された洗浄作用でもって洗浄されることになることを確実にするように構成される、請求項３記載の飛散防止装置。
【請求項８】
前記制限器保持表面は、前記少なくとも１つの下部開口を備えて形成され、前記複数の流れ制限要素は、前記制限器保持表面上で、前記少なくとも１つの下部開口から後方に位置決めされる、請求項７記載の飛散防止装置。
【請求項９】
前記第２区域は、前記第２区域の後部表面に形成される排出孔を介して前記便器の内側に直接流れるさらなる消毒薬ストリームを生成するためのさらなる固体衛生製品をその内部で維持するためのさらなる維持チャンバをさらに含む、請求項５記載の飛散防止装置。
【請求項１０】
前記さらなる固体衛生製品の位置決めに適応するために、前記第１区域の前記デフレクタ保持表面の後部面は凹状であり、前記第２区域の前記後部表面の後部面は凸状である、請求項９記載の飛散防止装置。
【請求項１１】
前記さらなる維持チャンバにより使用するための残りの水洗水がそれを通して導入可能である長尺の後部開口は、前記後部開口の上縁が、前記第１区域の前記上部チャンバと流体連通している前記維持チャンバの底部表面に一致するかまたは前記底部表面の下に位置するように、前記第２区域の前記後部表面の中央領域に形成される、請求項９記載の飛散防止装置。
【請求項１２】
前記後部表面から後方に、および前記後部開口の下で延びる、前記便器に接触するようになっている長尺の当接部をさらに含み、前記当接部は、前記後部表面に対して斜めに固定され、前記後部開口の突き出たエリアへと上方に延び、前記残りの水洗水を前記さらなる維持チャンバへと案内する、請求項１１記載の飛散防止装置。
【請求項１３】
前記第２区域は、前記後部表面上で前記さらなる維持チャンバの下に位置決めされる流れ規制領域をさらに含み、前記流れ規制領域は、前記さらなる維持チャンバから前記排出孔への前記さらなる消毒薬ストリームの流れを制限し、これにより前記排出孔の詰まりを防ぐようになっている、請求項１０記載の飛散防止装置。
【発明の詳細な説明】
【技術分野】
【０００１】
本発明は衛生装置の分野に関する。より詳細には、本発明はトイレ用飛散防止装置に関する。
【背景技術】
【０００２】
残念ながら、化粧室表面および衣服を汚し不快な臭気を放出する、男性の排尿中の便器壁からの跳ね返りは、広く行き渡った問題である。
【０００３】
幾つかのトイレ用飛散防止装置が、先行技術、例えば特許文献１から知られている。特許文献１は、尿ストリームがその内部に収容されそれからの跳ね返りがその外側メッシュ表面により低減される、複数の球形ビードを含有する密封式ポーチと、このポーチに連結されて便器の外側表面にリバーシブルに取付けられる可撓性テザーとを開示する。ところが、ビードは、ポーチ内部で下降しやすく、したがってポーチ内部で提供する偏向能力が不均一である。使用者は、この不均一な偏向能力を承知しておらず、その結果、跳ね返りに悩まされる。ビードは、水溶性材料製である際には尿ストリームが接触すると迅速に溶解しやすく、トイレ水洗の流れにより互いにくっつき単一の固体片になることがある。また、ビードは頻繁に補充せねばならず、このことにより、使用者の不要な苛立ちおよび出費が生じることになる。
【先行技術文献】
【特許文献】
【０００４】
【特許文献１】米国特許出願第２０１５／０１４３６２４号
【発明の概要】
【発明が解決しようとする課題】
【０００５】
均一な偏向能力を確実に提供するトイレ用飛散防止装置を提供することが本発明の目的である。
【０００６】
そのデフレクタが洗浄液に対して完全に剥き出しにされ、したがって変色しないまたは匂いがしないことになるトイレ用飛散防止装置を提供することが、本発明のさらなる目的である。
【０００７】
洗浄液を生成する衛生製品の溶解速度を最小にするトイレ用飛散防止装置を提供することが、本発明のさらなる目的である。
【０００８】
説明が進むにつれて、本発明の他の目的および利点が明らかになるであろう。
【課題を解決するための手段】
【０００９】
本発明は、トイレ用飛散防止装置であって、尿流を分散させ偏向させるための離間した複数のデフレクタを備えて構成される分散領域を含む第１区域と、トイレベースの水の水洗動作に応じて消毒薬ストリームがそれにより生成されてこの消毒薬ストリームが前記複数のデフレクタ全てに向けられる、前記第１区域と連結される第２区域と、前記飛散防止装置がトイレリムから便器の内側へとそれにより懸架されるハンガとを含む、トイレ用飛散防止装置を提供する。
【００１０】
一態様において、第１区域は、第２区域に対して前方に位置決めされるとともに、水洗水がそれを通して導入可能である上部開口と、生成された消毒薬ストリームがそれを通して排出されて複数のデフレクタ全てに向けられる、前記上部開口よりも小さい少なくとも１つの下部開口とを有する上部チャンバを備えて構成され、これにより、全デフレクタが洗浄液に対して完全に剥き出しにされることが確実になる。複数のデフレクタは、略垂直に配向されるデフレクタ保持表面から前方に突出する、縦および横方向に離間した複数のロッドにより構成することができる。
【００１１】
一態様において、第２区域の上部表面は、第１区域の、上部開口を画定する後部部分全体に対して後方で、この後方部分全体と当接関係になるように位置決めされる。
【００１２】
一態様において、第２区域は、水洗水が接触すると消毒薬ストリームがそれにより生成される固体衛生製品をその内部で維持するための、第１区域の上部チャンバと流体連通している維持チャンバを含む。第２区域の維持チャンバは、第２区域の、略垂直に配向される後部表面から上部開口の中間領域へと前方に延びるとともに第２区域の上部表面の下に位置する上部案内表面を有するのであり、前記上部案内表面は、上部開口を通して導入される水洗水の少なくとも一部分を固体衛生製品に向けて案内するようになっている。
【００１３】
一態様において、第１区域の上部チャンバには、デフレクタ保持表面の上部表面の前方に位置する略水平の制限器保持表面が設けられる。前記制限器保持表面から上方に延びる複数の流れ制限要素は、生成された消毒薬ストリームの流れを制限するように、および、これにより複数のデフレクタが、改良された洗浄作用でもって洗浄されることになることを確実にするように構成される。制限器保持表面は少なくとも１つの下部開口を備えて形成され、複数の流れ制限要素は、制限器保持表面上で、少なくとも１つの下部開口から後方に位置決めされる。
【００１４】
一態様において、第２区域は、第２区域の後部表面に形成される排出孔を介して便器の内側に直接流れるさらなる消毒薬ストリームを生成するためのさらなる固体衛生製品をその内部で維持するためのさらなる維持チャンバをさらに含む。
【００１５】
一態様において、さらなる固体衛生製品の位置決めに適応するために、第１区域のデフレクタ保持表面の後部面は凹状であり、第２区域の後部表面の後部面は凸状である。
【００１６】
一態様において、さらなる維持チャンバにより使用するための残りの水洗水がそれを通して導入可能である長尺の後部開口は、前記後部開口の上縁が、第１区域の上部チャンバと流体連通している維持チャンバの底部表面と一致するまたはこの底部表面の下に位置するように、第２区域の後部表面の中央領域に形成される。便器に接触するようになっている長尺の当接部が、後部表面から後方に、および後部開口の下で延びることができ、前記当接部は、後部表面に対して斜めに固定され、後部開口の、突き出たエリアへと上方に延び、残りの水洗水をさらなる維持チャンバ内へ案内する。
【００１７】
一態様において、第２区域は、後部表面上でさらなる維持チャンバの下に位置決めされる流れ規制領域をさらに含み、前記流れ規制領域は、さらなる維持チャンバから排出孔へのさらなる消毒薬ストリームの流れを制限し、これにより排出孔の詰まりを防ぐようになっている。
【図面の簡単な説明】
【００１８】
【図１】本発明の一実施形態による飛散防止装置の、上および後ろからの斜視図である。
【図２】図１の飛散防止装置に関連して使用される偏向区域の、消毒区域から分離したときの前からの斜視図である。
【図３】図１の飛散防止装置の横からの斜視図である。
【図４】図２の偏向区域の、消毒区域から分離したときの後ろからの斜視図である。
【図５】図２の偏向区域の、消毒区域から分離したときの上からの斜視図である。
【図６】図１の飛散防止装置の上からの斜視図である。
【図７】本発明の別の実施形態による飛散防止装置の斜視縦断面図である。
【図８】便器リムから懸架されたときを示す、図７の飛散防止装置の斜視縦断面図である。
【図９】図７の飛散防止装置に関連して使用される消毒区域の、偏向区域から分離したときの前からの斜視図である。
【図１０】図９の消毒区域の後面図である。
【図１１】図９の消毒区域の上および後ろからの斜視図である。
【図１２】図９の消毒区域に関連して使用される固体衛生製品の、前からの斜視図である。
【図１３】図９の消毒区域に関連して使用される固体衛生製品の、前からの斜視図である。
【図１４】尿流を偏向させるための表面の、考えられる実装を示す。
【発明を実施するための形態】
【００１９】
本発明の飛散防止装置は、２つの区域、すなわち、尿流を分散させ偏向させて、これによって跳ね返りの運動エネルギーを減少させるための分散領域を含む第１区域と、分散領域に向けられる洗浄液を生成する衛生製品の溶解速度を最小にしつつ、トイレベースの水の水洗動作に応じて消毒薬ストリームの流れを分散領域全体に向けられるように制御する（これによって全デフレクタが洗浄液に対して完全に剥き出しにされることを確実にする）ための第２区域とを含む。
【００２０】
図１は、本発明の一実施形態による飛散防止装置を示す。この実施形態を全体として数字１０で示す。
【００２１】
飛散防止装置１０は、前方のまたは使用者を向く偏向区域５と、偏向区域５に連結される、例えばこの偏向区域に解放可能に連結される後部消毒区域３５と、消毒区域３５の上部表面３６に接続されて、便器のリムから懸架されるようになっているフック部分２７を有するハンガ２５とを含む。飛散防止装置１０が便器リムから懸架されるときに便器リムに接触するための、湾曲させることのできる長尺の当接部３８が、消毒区域３５の後部表面３７から後方に延びる。
【００２２】
本明細書において参照するように、「前方に」、「後方に」、「上部の」、「下部の」、および「側部」等の相対的な方向の用語は、飛散防止装置１０がトイレリムから懸架される際の要素の相対位置を説明する。
【００２３】
図２は、消毒区域から分離したときの偏向区域５を示す。好ましくは耐尿性である分散領域８は互いに平行かつ均等に縦および横方向に離間した複数の短寸ロッド９により構成され、これらのロッドは例えば５〜１５ｍｍの長さを有するのであり、その後部面を凹状とすることのできる略垂直に配向されるデフレクタ保持表面１１から前方に突出する。尿流が、隣接するロッド９間の間隔を通過して表面１１にぶつかることが許容される。複数のロッド９により分散し偏向した後に尿流の運動エネルギーが減少するため、飛散の可能性はかなり低減される。
【００２４】
本発明が、不均等に離間したロッド、互いに平行でないロッド、または互いに離間した異なる形状のデフレクタを有する分散領域にも適用可能であることが理解されるであろう。
【００２５】
丸くすることのできる、例えば凸状にすることのできるデフレクタ保持表面１１の各側部に、主としてこのデフレクタ保持表面から後方に延びる、表面１１よりも厚い保護用周縁表面１３が設けられ、この保護用周縁表面は、デフレクタ保持表面の外周曲率に合致する。２つの周縁表面１３は、偏向区域５の底部にて一致し、Ｖ字形の切れ目１４を画定する。各周縁表面１３は、凹んでおり、消毒区域の対応する部分と連結するようになっている部分２ａを画定する。
【００２６】
また、偏向区域５は、略垂直に配向される上部表面４を備えて構成され、例えば凸状であり、この上部表面は、２つの周縁表面１３から前方に突出する。対向する２つの側部表面６は、表面４に対して略直角であり、この表面から後方に延びる。２つの側部表面６間に、凸状とすることのできる薄い後部部分３が延び、表面４の上縁と部分３との間でそのほぼ中心線のところに補強要素７が延び、この補強要素は、飛散防止装置に水洗水がそれを通して導入可能である２つの開口１２を画定する。補強要素７は、ハンガの或る部分により隠すことができる。部分３および２つの側部表面６は、凹んでおり、消毒区域の対応する部分と連結するようになっている部分２ｂを画定する。
【００２７】
図３に示すように、表面４を２つの保護用縁１３に対して前方に位置決めすることにより、分散領域８の上にくる１つ以上の孔２１が画定される。消毒薬ストリームは、以下で説明するように生成された後に各孔２１を流通し、それに応じて分散領域８の各デフレクタに向けられるのであり、充分な洗浄作用が確実になる。デフレクタは異なる長さとすることができる。
【００２８】
図４を参照すると、偏向区域５は、流れ規制チャンバ２９を備えて、および、流れ規制チャンバ２９と共に位置決めされる離間した複数の流れ制限要素２２を備えて構成することもできる。流れ規制チャンバ２９は、前方表面４により、および、対応する側部表面６と連結部分２ｂとに共通の各内側表面３１により画定される。デフレクタ保持表面１１の上部表面１９の前方に形成されるのは、略水平の制限器保持表面２４である。表面１９の前方縁から制限器保持表面２４まで上方に、略垂直壁３３が延びる。制限器保持表面２４は、２つの内側側部表面３１間を延び、前方表面４にも延びる。その各々を、３〜１０ｍｍの長さを有して制限器保持表面２４から上方に延びる長尺のロッドとすることのできる複数の流れ制限要素２２が、消毒区域から生ずる消毒薬ストリームの流れを制限するように、および、流れ制限要素２２の下流での圧力低下を生じるように構成される。低減された流れの消毒薬ストリームを生成することができれば、改良された洗浄作用でもって分散領域８を洗浄することができる。流れ規制要素２２の密度を変化させることにより、流れ制限の程度を制御することができる。
【００２９】
図５は、上からの偏向区域５を示す。制限器保持表面２４が、流れ規制チャンバの前方表面４および側部表面３１の内面と当接していることが示される。制限器保持表面２４内部に形成される孔２１の各々が、垂直壁３３から前方表面４へと延びる少なくとも１つの沈下部分２８により画定されるのであり、デフレクタ保持表面１１から前方に延びる複数のロッド９の上にくることが示される。流れ制限要素２２は、制限器保持表面２４上で孔２１の各々から後方に位置決めされることが示される。連結部分２ｂに隣接する後部部分３へと延びる補強要素７は、下部切れ目１４と垂直に整列させることができる。
【００３０】
図６は、組み立てられた飛散防止装置１０を上から示す。偏向区域５と消毒区域３５とが共に連結されると、図示するように、消毒区域３５の上部表面３６は、偏向区域５の凸状後部部分３全体と当接関係になり、この後部部分全体に対して後方に位置決めされる。消毒区域３５の後部表面３７から前方に延びる、平坦にすることのできる案内表面３９が、偏向区域５の後部部分３の下に位置し、流れ制限要素２２の後方で終端する。偏向区域５の２つの開口１２（図２）を通して水洗水が導入されると、水洗水は、案内表面３９へと下降し、続いて、案内表面の下に位置する固体衛生製品に向けて案内され、分散領域に向けられる消毒薬ストリームを生成する。案内表面３９が存在しているおかげで、水洗水が固体衛生製品に直接接触しないためというのでなく、むしろ、開口１２を通して導入される水洗水の一部分しか固体衛生製品に向けて案内されないため、固体衛生製品の溶解速度が最小になる。任意で、固体衛生製品に向けて案内される水量を所望のように増加するには、表面３９を部分的にまたは完全に除去することができる。この場合、水洗水中の衛生製品８２の濃度が高くなることになる。
【００３１】
固体衛生製品は、洗浄剤を構成する界面活性剤、発泡剤、芳香成分、およびそれらの組み合わせを含むがこれに限定されない、１つ以上の洗浄成分を含む固体ブロック組成物または凝固ゲル組成物とすることができる。
【００３２】
図７〜図１３は本発明の別の実施形態を示し、そこでは、飛散防止装置５０の消毒区域４５は、その各々が分離維持チャンバ内で維持される２つの固体衛生製品を含む。第１のものは、上で説明したように、偏向区域の分散領域に向けられる消毒薬ストリームを生成する。第２の固体衛生製品は、便器に直接流れる消毒薬ストリームを生成するために使用される。
【００３３】
図７は飛散防止装置５０を斜視断面図で示し、図８は、ハンガ２５により便器リム５９から懸架される際の飛散防止装置５０を斜視断面図で示す。
【００３４】
図９〜図１１は、偏向区域から分離したときの消毒区域４５を示す。図示するように、消毒区域４５は、第１維持チャンバ５１と、第１維持チャンバ５１の下に位置する第２維持チャンバ５８とを含む。維持チャンバ５１および５７の壁は消毒区域４５の後部表面５７から前方に突出するのであり、消毒区域は、偏向区域の全体的な形状および寸法と同様に構成される。図１の消毒区域３５は、第２維持チャンバを除いて、消毒区域４５と同一とすることができる。
【００３５】
第１維持チャンバ５１は上から、消毒区域４５の上部表面３６の下に位置する案内表面３９と、側部表面４２および４３と、底部表面４６とにより画定される。第２維持チャンバ５８は上から、平坦とすることのできる二次案内表面４９と、二次案内表面４９に対して略直角である側部表面５２および５３と、底部表面５６と、後部表面５７の幅が低減するのに適応するように底部表面５６と対応する側部表面との間で調和する斜めの表面５４および５５とにより画定される。
【００３６】
維持チャンバ５１および５８は保護用周縁表面６３および６４によりそれぞれ封入され、これらの保護用周縁表面は、後部表面５７から前方に突出し、その外周形状に合致する。図３にさらに示すように、対応する連結部分を収容した後は、上部保護用周縁表面６３は、偏向区域の流れ規制チャンバの、対応する側部表面６と同一平面であるようになっており、上部保護用周縁表面６３よりも狭窄の寸法である下部保護用周縁表面６４は、偏向区域の、対応する保護用周縁表面１３と同一平面であるようになっている。
【００３７】
対向する２つの湾曲した下部周縁表面６４は、消毒区域４５の底部にて一致し、偏向区域５のＶ字形の切れ目１４（図２）と一致するＶ字形の切れ目６８を画定する。Ｖ字形の切れ目６８の僅かに上に、第２維持チャンバ５８により生成される消毒薬ストリームが便器にそれを通して排出される小孔７２を備えて、後部表面５７が形成される。
【００３８】
後部表面５７は、Ｖ字形の切れ目６８から上部表面３６に連続的に延びる。第２維持チャンバ５８により使用するための水洗水がそれを通して導入可能である長尺開口７４は、開口７４の上縁が第１維持チャンバ５１の底部表面４６と一致するように、またはこの底部表面の下に位置するように、後部表面５７の中央領域に形成される。
【００３９】
飛散防止装置５０が便器リムから懸架される際に便器リムに接触するようになっている長尺の当接部７８が、開口７４の下で後部表面５７から後方に延びる。当接部７８の底縁は、消毒区域４５の上部表面３６と略平行である。当接部７８は、後部表面５７に対して斜めに固定される一方で、開口７４の、突き出たエリアへと上方に延び、第１維持チャンバ５１内へ導入されなかった残りの水洗水を案内する。当接部７８のいずれの側部からも、２つの終端部７９ａおよび７９ｂが、或る角度で後部表面５７に沿って、対応する保護用周縁表面６３に直近のその領域まで、引き続き後部表面５７に対して当接部７８とほぼ同じ角度のままで延びる。これらの終端部７９ａおよび７９ｂはそれぞれ、第２維持チャンバ５８の対応する側壁の上縁から対応する保護用周縁表面６３および６４間の内面境界面に向かって延びる整列した傾斜壁４８ａおよび４８ｂに、残りの水洗水を案内する。残りの水洗水は、傾斜壁４８ａおよび４８ｂに沿って二次案内表面４９に向かって下方に流れる。
【００４０】
便器の内側表面に接触するようになっている２つのまたはその他の任意の数のさらなる小型の当接部８４が、排出孔７２の僅かに上方で、後部表面５７から後方に突出することができる。
【００４１】
図１２は、第１維持チャンバ５１により維持可能な固体衛生製品８２を示し、図１３は、第２維持チャンバ５８により維持可能な固体衛生製品８６を示す。固体衛生製品８２および８６の各々は、複数の離間穴８９を備えて形成され、これらの離間穴の各々内に、消毒区域４５の後部表面５７から前方に突出する、対応する保持ピン４４（図９）またはその他の任意の維持構造が収容されるようになっている。例えば、衛生製品８２が３つの保持ピン４４により維持され、衛生製品８６が９つの保持ピンにより維持される。工場で製造される衛生製品８２および８６の周縁表面８７は、対応する維持チャンバの突出壁と当接関係であるようになっている。衛生製品８２および８６の最初の厚さは、対応する維持チャンバの各壁の突出寸法と略等しい。
【００４２】
次に、戻って図７および図８を参照し、消毒薬ストリームの生成を説明することにする。
【００４３】
偏向区域５と消毒区域４５とが共に連結されると、第１維持チャンバ５１の底部表面４６が実質的に流れ規制チャンバ２９の制限器保持表面２４と整列し、略連続的表面が提供される。このような整列を達成するのに必要であれば、デフレクタ保持表面１１の上部部分１７を有角にし、斜めに切り、または他の方法で調整して、底部表面４６の前方端部の位置決めに適応するようにすることができる。
【００４４】
水洗動作に続いて、水槽から流出した水洗水Ｗが、リム５９を通過しつつ複数の排水口を介してリム下面６１へと排出され、便器６２内に渦巻作用を引き起こす。水洗水Ｗは、排水口から排出されると同時に上部開口１２（図２）内へ導入され、案内表面３９上へと下降する。開口１２が排水口と整列することになるように、あるいは別法として、水洗水Ｗが下面６１にわたって流れるのを開口１２が遮るように、飛散防止装置５０をリム５９のこのような外周領域へと懸垂することができる。
【００４５】
乱れた水洗水Ｗが案内表面３９に衝突するのに応じて、水洗水Ｗは案内表面３９の終端縁４７まで前方に流れ、その少なくとも一部分Ｐが、維持チャンバ５１により維持される衛生製品８２に案内される。水部分Ｐを後方に流すために終端縁４７は丸くするまたは他の方法で調整することができる。衛生製品８２が最初の寸法であるとき、その前方縁は終端縁４７と実質整列し、したがって、衛生製品８２に水部分Ｐが容易に接触する。終端縁４７の調整のおかげで、水部分Ｐは、部分的に溶解した衛生製品８２の前方縁にも接触することになる。衛生製品は水洗水Ｗと直接接触していないことから、その溶解速度が低減される。
【００４６】
乱れた水部分Ｐが衛生製品８２と接触するのに続いて、消毒薬ストリームＤが生じる。その後、消毒薬ストリームＤは流れ規制要素２２にわたって前方に流れるが、その流れは、低減させられ、場合によって、衛生製品８２に向けられなかった水洗水Ｗの一部分と混合させられる。消毒薬ストリームＤは、制限器保持表面２４の孔２１（図５）を通過した後、分散領域８のデフレクタ９の表面エリア全体または表面エリアの大部分へと下降させられるのであり、良好な洗浄作用が提供される。
【００４７】
さらに、残りの水洗水Ｒは消毒区域４５の後部表面５７にわたって下方に流れるが、便器６２と接触している当接部７８により、そのさらなる通過が阻止される。当接部７８を別の排水口と整列状態にして残りの水洗水Ｒを収容することができ、あるいは別法として、残りの水洗水Ｒは、上部開口１２に入られずに消毒区域４５の上部表面３６にわたって流れた水である。
【００４８】
阻止された残りの水洗水Ｒは、後部開口７４を通過し案内表面４９にわたって前方に、その終端縁６６まで流れた後、当接部７８により、維持チャンバ５８により維持される衛生製品８６に案内される。水部分Ｐ１を後方に流すために終端縁６６は丸くするまたは他の方法で調整することができる。衛生製品８６が元の寸法であるとき、その前方縁は終端縁６６と実質整列し、したがって、衛生製品８６に水部分Ｐ１が容易に接触する。終端縁６６の調整のおかげで、水部分Ｐ１は、部分的に溶解した衛生製品８６の前方縁にも接触することになる。衛生製品は水洗水Ｗと直接接触していないことから、その溶解速度も低減される。乱れた水部分Ｐ１が衛生製品８６と接触するのに続いて消毒薬ストリームＤ１が生じる。その後、消毒薬ストリームＤ１は、孔７２を介して便器６２の内側へと排出される。
【００４９】
任意で、固体衛生製品８６に向けて案内される水量を所望のように増加するために、二次案内表面４９を部分的にまたは完全に除去することができる。この場合、水洗水中の衛生製品８６の濃度が高くなることになる。
【００５０】
飛散防止装置５０は、先行技術の、溶解可能なボウル内衛生製品の排出孔が塞がれる傾向を不要にするように構成することもできる。先行技術の、溶解可能な衛生製品により生成される、比較的速い流れの消毒薬ストリームが、小さい排出孔を通過することから、生成される消毒薬ストリームの、排出孔の上流での流速は、消毒薬ストリームの、排出孔の下流で流れることのできる流速よりも速い。したがって、消毒液が留まる時間が増加するため、排出孔は、消毒液から糊状材料を発生させて排出孔を塞ぐフィルタとして機能する。
【００５１】
一実施形態において、図７〜図９に示すように、飛散防止装置５０の消毒区域４５は、消毒区域４５の後部表面５７上で第２維持チャンバ５８の底部表面５６と排出孔７２との間に位置決めされる流れ規制領域９２を備えて構成される。流れ規制領域９２は、３列に配置されるように示される、ただしその他の任意の適当な流れ規制のやり方でも配置することのできる、離間した複数の流れ制限要素９４を含む。各流れ制限要素９４は、第２維持チャンバ５８の底部表面５６から前方に突出する長尺ロッドとすることができる。消毒薬ストリームＤ１の流れを所望のやり方で制限するために、流れ制限要素９４の、選択された密度を提供することにより、流れ制限要素９４の下流での、対応する圧力低下を達成することができる。消毒薬ストリームＤ１の流速が流れ規制領域９２の下流で低減されるため、消毒薬ストリームＤ１はその液体組成を維持することができ、排出孔７２は塞がれないままにすることができる。
【００５２】
デフレクタ保持表面１１の後部面が凹状であり、向かい合う、消毒区域４５の後部表面５７の後部面が凸状であるおかげで、飛散防止装置５０は、大型の衛生製品８６を収納するのには充分ゆったりとしている。
【００５３】
図１４は、尿流を偏向するための表面の、考えられる実装を示す。表面９３は幾つかの列の容器９４から成り、これらの容器は接続部材１０３により接続することができる。表面９３は、尿流の勢いを吸収して飛散を防ぐための剛毛９６を包含する。これらの剛毛９６は、高分子材料製とすることができ、表面９３にまたは容器９４に取付けることができる。剛毛９６の長さおよび密度は、所望の吸収作用を得るように適合することができる。各容器９４は、水洗水が容器９４内に浸透して或る量の衛生製品と混合できるようにするための幾つかの開口９１を備えた狭い空洞とすることができる。
【００５４】
図説により本発明の幾つかの実施形態を説明したが、多くの修正、変更、および改造（例えば、尿流を偏向するためにメッシュ、ベルクロ（商標）、またはスポンジ状シート／表面を使用するもの）を伴い、ならびに、当業者の領域にある多数の均等物または代替解決策を使用して、請求項の範囲を超えることなく本発明を実行できることが明らかになるであろう。
【図１】
2020502396.tif 000003
【図２】
2020502396.tif 000004
【図３】
2020502396.tif 000005
【図４】
2020502396.tif 000006
【図５】
2020502396.tif 000007
【図６】
2020502396.tif 000008
【図７】
2020502396.tif 000009
【図８】
2020502396.tif 000010
【図９】
2020502396.tif 000011
【図１０】
2020502396.tif 000012
【図１１】
2020502396.tif 000013
【図１２】
2020502396.tif 000014
【図１３】
2020502396.tif 000015
【図１４】
2020502396.tif 000016
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
トイレ用飛散防止装置であって、
ａ）トイレベースの水の水洗動作に応じて水洗水が接触すると消毒薬ストリームがそれにより生成される固体衛生製品をその内部に維持するための維持チャンバを含む、後方に位置決めされる区域と、
ｂ）前記後方に位置決めされる区域と連結される前方に位置決めされる区域であって、
ｉ）デフレクタ保持表面を有して構成される分散領域、尿流を分散させ偏向させるための前記デフレクタ保持表面から突出する複数の離間したデフレクタ、および前記デフレクタ保持表面の各側部に設けられる周縁表面、および、
ｉｉ）前記後方に位置決めされる区域の前記維持チャンバと流体連通し、前記分散領域の上方に位置し、前記周縁表面の各々間で各々から前方へ突出する上部表面によって画定される上部チャンバであって、前記上部チャンバは、前記水洗水がそれを通して導入可能である上部開口および、前記周縁表面の各々の前方かつ前記複数のデフレクタの上にくる前記上部表面の後方に位置する少なくとも１つの下部開口を有し、前記少なくとも１つの下部開口を通して、前記生成された消毒薬ストリームが排出されて前記複数のデフレクタ全てに向けられる、上部チャンバ、
を含む、前方に位置決めされる区域と、
ｃ）前記飛散防止装置がトイレリムから便器の内側へとそれにより懸架されるハンガと、を含む、飛散防止装置。
【請求項２】
前記少なくとも１つの下部開口の各々は、前記上部開口よりも小さい、請求項１記載の飛散防止装置。
【請求項３】
前記複数のデフレクタは、略垂直に配向される前記デフレクタ保持表面から前方に突出する、縦および横方向に離間した複数のロッドにより構成される、請求項１記載の飛散防止装置。
【請求項４】
前記後方に位置決めされる区域の上部表面は、前記前方に位置決めされる区域の、前記上部開口を画定する後部部分全体に対して後方で、前記後部部分全体と当接関係になるように位置決めされる、請求項１記載の飛散防止装置。
【請求項５】
前記後方に位置決めされる区域の前記維持チャンバは、前記後方に位置決めされる区域の、略垂直に配向される後部表面から前記上部開口の中間領域へと前方に延び、そして、前記後方に位置決めされる区域の前記上部表面の下に位置する上部案内表面を有し、前記上部案内表面は、前記上部開口を通して導入される前記水洗水の少なくとも一部分を前記固体衛生製品に向けて案内するようになっている、請求項１記載の飛散防止装置。
【請求項６】
前記上部案内表面の終端縁は、前記水洗水の前記少なくとも一部分を前記維持チャンバに向けて後方へ流すために、そして前記衛生製品の前縁との接触を容易にするために調整される、請求項５記載の飛散防止装置。
【請求項７】
前記前方に位置決めされる区域の前記上部チャンバに、前記デフレクタ保持表面の上部表面の前方に位置する略水平の制限器保持表面が設けられ、前記制限器保持表面から上方に延びる複数の流れ制限要素は、前記生成された消毒薬ストリームの流れを制限するように、および、これにより前記複数のデフレクタが、改良された洗浄作用でもって洗浄されることになることを確実にするように構成される、請求項１記載の飛散防止装置。
【請求項８】
前記制限器保持表面は、前記少なくとも１つの下部開口を備えて形成され、前記複数の流れ制限要素は、前記制限器保持表面上で、前記少なくとも１つの下部開口から後方に位置決めされる、請求項７記載の飛散防止装置。
【請求項９】
前記後方に位置決めされる区域は、前記後方に位置決めされる区域の後部表面に形成される排出孔を介して前記便器の内側に直接流れるさらなる消毒薬ストリームを生成するためのさらなる固体衛生製品をその内部で維持するためのさらなる維持チャンバをさらに含む、請求項１記載の飛散防止装置。
【請求項１０】
前記さらなる固体衛生製品の位置決めに適応するために、前記前方に位置決めされる区域の前記デフレクタ保持表面の後部面は凹状であり、前記後方に位置決めされる区域の前記後部表面の後部面は凸状である、請求項９記載の飛散防止装置。
【請求項１１】
前記さらなる維持チャンバにより使用するための残りの水洗水がそれを通して導入可能である長尺の後部開口は、前記後部開口の上縁が、前記前方に位置決めされる区域の前記上部チャンバと流体連通している前記維持チャンバの底部表面に一致するかまたは前記底部表面の下に位置するように、前記後方に位置決めされる区域の前記後部表面の中央領域に形成される、請求項９記載の飛散防止装置。
【請求項１２】
前記後部表面から後方に、および前記後部開口の下で延びる、前記便器に接触するようになっている長尺の当接部をさらに含み、前記当接部は、前記後部表面に対して斜めに固定され、前記後部開口の突き出たエリアへと上方に延び、前記残りの水洗水を前記さらなる維持チャンバへと案内する、請求項１１記載の飛散防止装置。
【請求項１３】
前記後方に位置決めされる区域は、前記後部表面上で前記さらなる維持チャンバの下に位置決めされる流れ規制領域をさらに含み、前記流れ規制領域は、前記さらなる維持チャンバから前記排出孔への前記さらなる消毒薬ストリームの流れを制限し、これにより前記排出孔の詰まりを防ぐようになっている、請求項１０記載の飛散防止装置。
【請求項１４】
前記複数のロッドは、均等に縦および横方向に離間している、請求項３記載の飛散防止装置。
【請求項１５】
前記複数のロッドは、互いに平行である、請求項３記載の飛散防止装置。
【国際調査報告】
2020502396.tif 000017
2020502396.tif 000018